(57)【要約】【課題】構造の安定性を向上させ、異音を抑制することが可能な自転車のサドルシートを提供する。【解決手段】自転車のサドルシート１０は、皮革シート２０、弓形スタンド３０および調整装置４０を備える。弓形スタンド３０は前端に突起部３４を有し、後端が皮革シート２０の後端に固定されている。調整装置４０はボルトホルダ４１、調整ボルト４２および調整金具４３を有する。ボルトホルダ４１は皮革シート２０の前端に固定されており、かつ穿孔４１４を有する。調整ボルト４２は回転可能にボルトホルダ４１の穿孔４１４に差し込まれている。調整金具４３は弓形スタンド３０の突起部３４に固定されており、かつ調整ボルト４２のボルト軸部４２４に対応するように装着されている。上述した構造により、本考案による自転車のサドルシート１０は構造の安定性を良好に維持し、異音を抑制することができる。【選択図】  図２
0003195967.tif 000002
【実用新案登録請求の範囲】
【請求項１】
皮革シート、弓形スタンド、および調整装置を備え、
前記弓形スタンドは、前記皮革シートの底面に装着されており、前端に突起部が形成されており、前記突起部に囲まれて形成された位置制限溝を有し、後端が前記皮革シートの後端に固定されており、
前記調整装置は、前記皮革シートの底面に装着されており、かつボルトホルダ、調整ボルト、および調整金具を有し、
前記ボルトホルダは、前記皮革シートの前端に固定されており、ストッパと、前記ストッパを貫通する穿孔とを有し、
前記調整ボルトはボルトヘッド部およびボルト軸部を有し、
前記ボルトヘッド部は、前記ボルトホルダの前記ストッパに当接しており、かつ回転可能に前記ボルトホルダの前記穿孔に差し込まれており、
前記ボルト軸部は、一端が前記ボルトヘッド部に接続されており、
前記調整金具は、前記弓形スタンドの前記突起部に固定されており、前記弓形スタンドの前記位置制限溝内に係止されており、かつねじ孔を有し、
前記ねじ孔は前記調整ボルトの前記ボルト軸部に対応していることを特徴とする自転車のサドルシート。
【請求項２】
前記調整金具は、ベースおよびボルトスリーブを有し、
前記ベースは、前記弓形スタンドの前記突起部の一方の側面に当接しており、かつ軸穴を有し、前記軸穴が前記弓形スタンドの前記位置制限溝に繋がっており、
前記ボルトスリーブは、ヘッド部と、前記ヘッド部に接続されているシャフトと、前記ヘッド部および前記シャフトを貫通するねじ孔とを有し、
前記ヘッド部は、前記弓形スタンドの前記突起部の他方の側面に当接しており、
前記シャフトは、前記弓形スタンドの前記位置制限溝を貫通し、前記調整金具の前記ベースの前記軸穴に固定されていることを特徴とする請求項１に記載の自転車のサドルシート。
【請求項３】
前記弓形スタンドは、二つの互いに向かい合っている支持ロッドを有し、
二つの前記支持ロッドは、前端が相互に接続されており前記突起部を形成し、
前記調整金具の前記ベースは、底面に二つの並列に配置されているガイド溝が形成されており、
前記弓形スタンドの前記支持ロッドは前記ガイド溝に嵌め込まれていることを特徴とする請求項２に記載の自転車のサドルシート。
【請求項４】
前記弓形スタンドは、支持部をさらに有し、
前記支持部は、前記皮革シートの後端に固定されており、二つの凸状部を有し、前記凸状部が固定孔を有し、
二つの前記支持ロッドは、それぞれの後端に差込部と前記差込部に接する突出縁部とを有し、
前記差込部は前記支持部の前記凸状部の前記固定孔に差し込まれており、
前記突出縁部は前記支持部の前記凸状部の端面に当接していることを特徴とする請求項３に記載の自転車のサドルシート。
【請求項５】
前記弓形スタンドの前記支持ロッドは、前記差込部に形成されている環状溝をさらに有し、
前記弓形スタンドは二つのＣ字型リングをさらに有し、
前記Ｃ字型リングは、前記環状溝に嵌め込まれており、前記支持部の前記凸状部の前記固定孔の壁面に当接していることを特徴とする請求項４に記載の自転車のサドルシート。
【請求項６】
前記ボルトホルダは、二つの互いに向かい合っている側面に形成されている支持面を別々に有し、
前記調整金具の前記ベースは二つの互いに向かい合っている側面に形成されている階段状ガイド部を別々に有し、
前記階段状ガイド部は前後にスライド可能に前記ボルトホルダの前記支持面に当接していることを特徴とする請求項２に記載の自転車のサドルシート。
【請求項７】
皮革シート、弓形スタンド、および調整装置を備え、
前記弓形スタンドは、前記皮革シートの底面に装着されており、後端が前記皮革シートの後端に固定されており、前端に固定ブロックを有し、前記固定ブロックにねじ孔が形成されており、
前記調整装置は、前記皮革シートの底面に装着されており、かつボルトホルダおよび調整ボルトを有し、
前記ボルトホルダは、前記皮革シートの前端に固定されており、かつストッパと、前記ストッパを貫通する穿孔とを有し、
前記調整ボルトはボルトヘッド部およびボルト軸部を有し、
前記ボルトヘッド部は、前記ボルトホルダの前記ストッパに当接しており、かつ回転可能に前記ボルトホルダの前記穿孔に差し込まれており、
前記ボルト軸部は、一端が前記ボルトヘッド部に接続されており、他端が前記弓形スタンドの前記固定ブロックの前記ねじ孔内に締め付けられていることを特徴とする自転車のサドルシート。
【請求項８】
前記弓形スタンドは、二つの互いに向かい合っている支持ロッドおよび支持部をさらに有し、
前記支持部は、前記皮革シートの後端に固定されており、二つの凸状部を有し、前記凸状部に固定孔が形成されており、
二つの前記支持ロッドは、それぞれの後端に、差込部と、前記差込部に接する突出縁部とを有し、前記差込部が前記支持部の前記凸状部の前記固定孔に差し込まれており、前記突出縁部が前記支持部の前記凸状部の端面に当接していことを特徴とする請求項７に記載の自転車のサドルシート。
【請求項９】
前記弓形スタンドの前記支持ロッドは、前記差込部に形成された環状溝をさらに有し、
前記弓形スタンドは二つのＣ字型リングをさらに有し、
前記Ｃ字型リングは、前記環状溝に嵌め込まれており、前記支持部の前記凸状部の前記固定孔の壁面に当接していることを特徴とする請求項８に記載の自転車のサドルシート。
【請求項１０】
前記ボルトホルダは、二つの互いに向かい合っている側面に形成されている支持面を別々に有し、
前記弓形スタンドの前記固定ブロックは、二つの互いに向かい合っている側面に形成されている階段状ガイド部を別々に有し、
前記階段状ガイド部は前後にスライド可能に前記ボルトホルダの前記支持面に当接していることを特徴とする請求項７に記載の自転車のサドルシート。
【考案の詳細な説明】
【技術分野】
【０００１】
本考案は、自転車に関し、詳しくは自転車のサドルシートに関するものである。
【背景技術】
【０００２】
自転車のサドルシートを製作する際、一般的に上皮の材料として皮革およびプラスチックが使用される。皮革製サドルシートの場合、長期間にわたって走行すれば、自転車が路面を走行して生じた振動およびサイクリストの体重の相互作用が原因でサドルシートの表面張力が弱くなるとともにサドルシートが凹むような事態が発生するため、適宜調整を行わないと自転車走行時の快適さに影響を与える。
【０００３】
上述した問題に対し、特許文献１は締付ボルトを回転させ、片状ガイド部を前後に移動させると同時に支持フレームを連動させ、支持フレームによって本体の表面張力を調整する。特許文献１において支持フレームのヨーク部は締付ボルトによって片状ガイド部の格納溝内に係止される。しかしながら、上述した配置構造は自転車走行時の支持フレームと片状ガイド部とを相互に摩擦させ、異音を生じさせる。一方、支持フレームの生じるクランプ力は限られるため、外力が大き過ぎる場合、支持フレームは横向きに移動し、全体構造の安定性に影響を与えてしまうことが起こる。
【先行技術文献】
【特許文献】
【０００４】
【特許文献１】台湾実用新案公告Ｍ２９５６０９号明細書
【考案の概要】
【考案が解決しようとする課題】
【０００５】
本考案は、構造の安定性を向上させ、異音を抑制することが可能な自転車のサドルシートを提供することを主な目的とする
【課題を解決するための手段】
【０００６】
上述の目的を達成するために、本考案の第１態様による自転車のサドルシートは、皮革シート、弓形スタンドおよび調整装置を備える。弓形スタンドは皮革シートの底面に装着され、かつ前端に形成された突起部と、突起部に囲まれて形成された位置制限溝とを有し、後端が皮革シートの後端に固定される。調整装置は皮革シートの底面に装着され、かつボルトホルダ、調整ボルトおよび調整金具を有する。ボルトホルダは皮革シートの前端に固定され、かつストッパと、ストッパを貫通する穿孔とを有する。調整ボルトはボルトヘッド部およびボルト軸部を有する。調整ボルトのボルトヘッド部はボルトホルダのストッパに当接し、かつ回転可能なようにボルトホルダの穿孔に差し込まれる。調整ボルトのボルト軸部は、一端がボルトヘッド部に接続される。調整金具は弓形スタンドの突起部に固定され、かつ弓形スタンドの位置制限溝内に係止されることで構造の安定性を向上させ、異音を抑制する。調整金具はねじ孔を有する。ねじ孔は調整ボルトのボルト軸部に対応する。上述した構造により、調整ボルトを回転させれば、調整金具は弓形スタンドを移動させるとともに皮革シートを引っ張り、締め付け度を調整することができる。
【０００７】
本考案の第１態様において、調整金具はベースおよびボルトスリーブを有する。ベースは弓形スタンドの突起部の一方の側面に当接し、かつ軸穴を有する。軸穴は弓形スタンドの位置制限溝に繋がる。ボルトスリーブはヘッド部、ヘッド部に接続されるシャフトおよびねじ孔を有する。ボルトスリーブのヘッド部は弓形スタンドの突起部の他方の側面に当接する。ボルトスリーブのシャフトは弓形スタンドの位置制限溝を貫通し、調整金具のベースの軸穴に固定される。ボルトスリーブのねじ孔はヘッド部およびシャフトを貫通する。上述した構造により、弓形スタンドの突起部は調整金具のベースとボルトスリーブのヘッド部との間に挟まれる。調整金具のボルトスリーブのシャフトは弓形スタンドの位置制限溝の間に係止されることで弓形スタンドが横に移動することを抑制し、弓形スタンドの構造の安定性を向上させることできる。
【０００８】
本考案の第１態様において、弓形スタンドは二つの向かい合う支持ロッドを有する。二つの支持ロッドは前端が相互に接続され、突起部を形成する。調整金具のベースは底面に二つの並列に配置されたガイド溝を有する。弓形スタンドの一つの支持ロッドはガイド溝に嵌め込まれるため、調整金具と弓形スタンドとの間の連結強度を増大させる。
【０００９】
本考案の第１態様において、弓形スタンドは、さらに支持部を有する。支持部は皮革シートの後端に固定され、二つの凸状部を有する。凸状部は固定孔を有する。二つの支持ロッドはそれぞれの後端に差込部と、差込部に接する突出縁部とを有する。差込部は支持部の凸状部の固定孔に差し込まれる。突出縁部は支持部の凸状部の端面に当接することで支持部の受けた外力を分担する。
【００１０】
本考案の第１態様において、弓形スタンドの支持ロッドはさらに差込部に形成された環状溝を有する。弓形スタンドはさらに二つのＣ字型リングを有する。Ｃ字型リングは環状溝の内に嵌め込まれ、支持部の凸状部の固定孔の壁面に当接することで支持部と二つの支持ロッドの間との連結強度を増大させる。
【００１１】
本考案の第２態様によるサドルシートは、シート本体、弓形スタンドおよび調整装置を備える。弓形スタンドは皮革シートの底面に装着され、後端が皮革シートの後端に固定され、かつ前端に固定ブロックを有する。固定ブロックはねじ孔を有する。調整装置は皮革シートの底面に装着され、かつボルトホルダおよび調整ボルトを有する。ボルトホルダは皮革シートの前端に固定され、かつストッパと、ストッパを貫通する穿孔とを有する。調整ボルトはボルトヘッド部およびボルト軸部を有する。調整ボルトのボルトヘッド部はボルトホルダのストッパに当接し、かつ回転可能なようにボルトホルダの穿孔に差し込まれる。調整ボルトのボルト軸部は、一端がボルトヘッド部に接続され、他端が弓形スタンドの固定ブロックのねじ孔内に締め付けられる。上述した構造により、調整ボルトを回転させれば、調整ボルトと弓形スタンドの固定ブロックとを噛み合わせ、弓形スタンドを移動させるとともに皮革シートを引っ張り、締め付け度を調整することができる。
【図面の簡単な説明】
【００１２】
【図１】本考案の第１実施形態によるサドルシートを示す斜視図である。
【図２】本考案の第１実施形態によるサドルシートを示す分解斜視図である。
【図３】本考案の第１実施形態によるサドルシートの底面を示す平面図である。
【図４】本考案の第１実施形態によるサドルシートにおいて弓形スタンドと調整装置とが結合した状態を示す断面図である。
【図５】本考案の第１実施形態によるサドルシートにおいて弓形スタンドの支持部と支持ロッドとが結合した状態を示す断面図である。
【図６】本考案の第２実施形態によるサドルシートを示す分解斜視図である。
【図７】本考案の第２実施形態によるサドルシートの一部分を示す断面図である。
【考案を実施するための形態】
【００１３】
（第１実施形態）
図１および図２に示すように、本考案の第１実施形態によるサドルシート１０は、皮革シート２０、弓形スタンド３０および調整装置４０を備える。
【００１４】
弓形スタンド３０は、皮革シート２０の下方に配置され、かつ支持部３１、二つの向かい合う支持ロッド３２および四つのＣ字型リング３３を有する。支持部３１は皮革シート２０の後端に締め付けられ、二つの凸状部３１２を有する。凸状部３１２は固定孔３１４を有する。二つの支持ロッド３２は前端が結合して形成した突起部３４と、突起部３４に囲まれて形成された位置制限溝３５とを有する。二つの支持ロッド３２はそれぞれの後端に差込部３２２と、差込部３２２に接する突出縁部３２４と、差込部３２２に形成された二つの環状溝３２６とを有する。Ｃ字型リング３３は支持ロッド３２の環状溝３２６内に嵌め込まれる。組立作業を行う際、図５に示すように支持部３１の凸状部３１２の固定孔３１４に支持ロッド３２の差込部３２２を差し込み、支持ロッド３２の突出縁部３２４を支持部３１の凸状部３１２の端面に当接させれば、Ｃ字型リング３３は径方向の拡張力によって固定孔３１４の壁面に当接し、支持部３１と支持ロッド３２を固定することができる。
【００１５】
図２から図４に示すように、調整装置４０は、皮革シート２０の底面に装着され、かつボルトホルダ４１、調整ボルト４２および調整金具４３を有する。ボルトホルダ４１は皮革シート２０の前端に固定され、かつ前端にストッパ４１２と、ストッパ４１２を貫通する穿孔４１４とを有し、かつ左右両側面に支持面４１６を別々に有する。調整ボルト４２はボルトヘッド部４２２およびボルト軸部４２４を有する。調整ボルト４２のボルトヘッド部４２２はボルトホルダ４１のストッパ４１２に当接し、かつ回転可能なようにボルトホルダ４１の穿孔４１４に差し込まれる。調整ボルト４２のボルト軸部４２４は、一端がボルトヘッド部４２２に接続される。調整金具４３はベース４４およびボルトスリーブ４５を有する。ベース４４はプラスチック材料から製作され、前後の両端を貫通する軸穴４４１と、底面に並列に配置された二つのガイド溝４４３と、左右両側面に別々に形成された階段状ガイド部４４５とを有する。組立作業を行う際、弓形スタンド３０の支持ロッド３２をベース４４のガイド溝４４３に嵌め込み、ベース４４の一つの端面を弓形スタンド３０の一方の側面に当接させる。このとき軸穴４１１は弓形スタンド３０の位置制限溝３５に対応して繋がる。ベース４４の階段状ガイド部４４５はボルトホルダ４１の支持面４１６に当接する。ボルトスリーブ４５は金属材料から製作され、かつヘッド部４５１と、ヘッド部４５１に接続されるシャフト４５３と、ヘッド部４５１およびシャフト４５３を貫通するねじ孔４５５とを有する。組立作業を行う際、ボルトスリーブ４５のシャフト４５３は弓形スタンド３０の位置制限溝３５を貫通し、ベース４４の軸穴４４１に差し込まれ、リベット接合によってベース４４に固定されるため、ボルトスリーブ４５のヘッド部４５１は弓形スタンド３０の突起部３４の他方の側面に当接する。ボルトスリーブ４５のねじ孔４５５は調整ボルト４２のボルト軸部４２４と噛み合う。上述した構造により、調整ボルト４２を回転させれば、調整金具４３は階段状ガイド部４４５がボルトホルダ４１の支持面４１６に当接することによって弓形スタンド３０を前後に移動させるとともに皮革シート２０の表面張力を調整する。
【００１６】
上述をまとめてみると、本考案によるサドルシート１０は従来の技術に優れた点が下記の通りである。
【００１７】
１、弓形スタンド３０と調整金具４３の構造関係により、弓形スタンド３０の突起部３４は調整金具４３のベース４４とボルトスリーブ４５のヘッド部４５１との間に挟まれるため、調整ボルト４２を回転させれば、調整金具４３は弓形スタンド３０を安定させながら、前後に移動させることができる。調整金具４３のボルトスリーブ４５のシャフト４５３は弓形スタンド３０の位置制限溝３５の間に係止されるため、弓形スタンド３０が横に移動することを抑制できるだけでなく、自転車が走行する際、構造上の安定性を向上させ、弓形スタンド３０に異音が生じるという問題を解決することができる。
【００１８】
２、自転車が走行する際、弓形スタンドの支持部３１はでこぼこ道を走行して生じた振動およびサイクリストの体重を皮革シート２０によって間接に受ける。このとき弓形スタンド３０の支持部３１の凸状部３１２と弓形スタンド３０の支持ロッド３２の突出縁部３２４とは相互に当接するため、弓形スタンド３０の支持ロッド３２は弓形スタンド３０の支持部３１の受けた外力を分担し、弓形スタンド３０の構造強度および耐用性を増大させることができる。
【００１９】
３、弓形スタンド３０において、支持部３１の凸状部３１２の固定孔３４１と支持ロッド３２の差込部３２２との間はＣ字型リング３３によって支えられるため、両者の間の結合強度は緩めたり締めたりする結合方法を使用する従来技術と比べて高く、構造の安定性を向上させる。
【００２０】
（第２実施形態）
一方、本考案において、弓形スタンドは上述した構造に限らない。図６および図７に示すように、本考案の第２実施形態において、弓形スタンド５０の支持ロッド５２は前端が固定ブロック５３に包まれる。固定ブロック５３は前後の両端を貫通するねじ孔５３２と、左右両側面に別々に形成された階段状ガイド部５３４とを有する。調整ボルト４２のボルト軸部４２４はねじ孔５３２に差し込まれる。階段状ガイド部５３４は前後に移動可能なようにボルトホルダ４１の支持面４１６に当接する。上述した構造により、調整ボルト４２を回転させれば、調整ボルト４２と弓形スタンド５０の固定ブロック５３とを噛み合わせ、弓形スタンド５０を前後に移動させるとともに皮革シート２０の表面張力を調整することができる。一方、弓形スタンド５０の支持部５１と弓形スタンド５０の支持ロッド５２の後端を結合する方法は第１実施形態と同じであるため、詳しい説明を省略する。
【符号の説明】
【００２１】
１０：サドルシート、  
２０：皮革シート、  
３０：弓形スタンド、  
３１：支持部、  
３１２：凸状部、  
３１４：固定孔、  
３２：支持ロッド、  
３２２：差込部、  
３２４：突出縁部、
３２６：環状溝、  
３３：Ｃ字型リング、  
３４：突起部、  
３５：位置制限溝、  
４０：調整装置、
４１：ボルトホルダ、  
４１２：ストッパ、  
４１４：穿孔、
４１６：支持面、  
４２：調整ボルト、  
４２２：ボルトヘッド部、
４２４：ボルト軸部、
４３：調整金具、  
４４：ベース、  
４４１：軸穴、  
４４３：ガイド溝、  
４４５：階段状ガイド部、  
４５：ボルトスリーブ、  
４５１：ヘッド部、  
４５３：シャフト、  
４５５：ねじ孔、  
５０：弓形スタンド、  
５１：支持部、  
５２：支持ロッド、  
５３：固定ブロック、  
５３２：ねじ孔、  
５３４：階段状ガイド部
【図１】
0003195967.tif 000003
【図２】
0003195967.tif 000004
【図３】
0003195967.tif 000005
【図４】
0003195967.tif 000006
【図５】
0003195967.tif 000007
【図６】
0003195967.tif 000008
【図７】
0003195967.tif 000009